(57)【要約】      （修正有）【課題】セキュリティーやプライバシー保護を図りつつ、効率的に採光し、かつ過度な光の入射を抑制することを可能にする、複合樹脂パネルの提供を目的とする。【解決手段】透明性又は半透明性を有する基材２の表面および裏面に、一方向に向けて凸状部と凹状部を交互に繰り返し形成するとともに、前記凹状部の表面を半透明又は不透明層３，４としたものであって、前記各凸状部の頂部は平坦面に形成され、かつ前記平坦面の幅を、前記凹状部の開口幅よりも小さくし、前記基材２の光線透過率を、前記半透明又は不透明層３，４の光線透過率よりも高くしたものである。【選択図】図１
2018063349.tif 000002
【特許請求の範囲】
【請求項１】
透明性又は半透明性を有する基材の表面および裏面に、一方向に向けて凸状部と凹状部を交互に繰り返し形成するとともに、前記凹状部の表面を半透明又は不透明層としたもので、
前記各凸状部の頂部は平坦面に形成され、かつ前記平坦面の幅が、前記凹状部の開口幅よりも小さくされ、
前記基材は、前記半透明又は不透明層よりも高い光線透過率を有すること
を特徴とする複合樹脂パネル。
【請求項２】
前記基材は、
透明性を有する樹脂にフィラー、光拡散剤もしくは着色材料を配合してなるもので構成されていること
を特徴とする請求項１に記載の複合樹脂パネル。
【請求項３】
前記表面側の凸状部と前記裏面側の凹状部とは、互いに相対する位置に配置されていること
を特徴とする請求項１又は２に記載の複合樹脂パネル。
【請求項４】
前記半透明又は不透明層は、
着色材料を含有する樹脂で形成されていること
を特徴とする請求項１又は２に記載の複合樹脂パネル。
【請求項５】
前記基材は、
その厚さが、少なくとも０．３ｍｍ以上のものであること
を特徴とする請求項１〜４のいずれかに記載の複合樹脂パネル。
【請求項６】
前記凹状部は、
その形状が、断面楔形、断面半円形、断面矩形又は断面台形であること
を特徴とする請求項１〜５のいずれかに記載の複合樹脂パネル。
【請求項７】
前記凹状部の深さは、
少なくとも０．１５ｍｍ以上であること
を特徴とする請求項１〜６のいずれかに記載の複合樹脂パネル。
【発明の詳細な説明】
【技術分野】
【０００１】
この発明は、窓ガラスを介して室内に入射する自然光を、制御することのできる複合樹脂パネルに関するものである。
より詳しくは、優れた遮光機能および視界制御機能を有する複合樹脂パネルに関するものである。
【背景技術】
【０００２】
近年、高層オフィスビルやマンションなどの建物では、窓ガラスなどを通して、外部（屋外）からの自然光（太陽光など）が屋内（室内）に入射することなる。
そのため、屋内に居る人に眩しさを感じさせないようにする観点から、あるいはセキュリティーやプライバシー保護の観点などから、窓ガラスを介して室内に入射する光を遮断したり、室内を覗き見されたりするのを防ぐことを目的として、遮光機能や視野角制御（目隠し）機能を有するパネルやフィルムが、窓材として広く使用されている。
【０００３】
このような、遮光機能及び視野角制御機能を有する複合樹脂パネルの一例が、特許文献１及び２に開示されている。
【０００４】
例えば、特開２０１６−３３６７３号公報（特許文献１）には、窓に入射する太陽光を、直射太陽光が入射しない天井等に導くことができる採光シートが提案されている。
【０００５】
この採光シートは、入射光を反射面により反射させ、光路を折り曲げることによって、前記入射光が直接入射しない箇所に前記入射光を導くもので、
透明シート材とレンズ層とが積層され、
前記レンズ層は、
透明樹脂材料に、断面楔形形状による凹状溝が平坦な部位を間に挟んで複数設けられ、
前記凹状溝には、
前記透明樹脂材料とは、屈折率が異なる透明インクが設けられ、
前記透明樹脂材料と前記透明インクとの界面によって、前記反射面が作製されたものである。
【０００６】
さらに、特開２０１１−９８５０４号公報（特許文献２）には、十分な遮光機能又は視界制御機能を発揮させ得るとともに、基板と帯板との色目の違いにより、奥行感のある立体的なグラデーション模様を有する意匠性に優れ、かつ生産性に優れた複合樹脂パネルが提案されている。
【０００７】
この複合樹脂パネルは、着色透明又は無色透明の第１樹脂からなる基板と、
前記基板に設けられ、不透明又は着色透明の第２樹脂からなる帯板と、
を備え、
前記帯板の端縁は、前記基板の表面に露出している
ものである。
【先行技術文献】
【特許文献】
【０００８】
【特許文献１】特開２０１６−３３６７３号公報（請求項１，図１）
【特許文献２】特開２０１１−９８５０４号公報（請求項１，図５）
【発明の概要】
【発明が解決しようとする課題】
【０００９】
従来の遮光機能や視野角制御機能を有する複合樹脂パネルやフィルムは、鉛直方向または水平方向の何れか一方向に対してのみ、遮光機能や視野角制御機能を発揮するものであった。
【００１０】
前記特許文献１に開示されている採光シートは、窓に配置された場合には、この窓に入射する太陽光を、直射太陽光が入射しない天井などに導くことができるので、遮光機能において改善されている。
しかしながら、水平方向から室内を覗き見されるおそれを有し、視野角制御機能において、さらなる改善が求められている。
【００１１】
前記特許文献２に開示されている複合樹脂パネルは、上方以外の全ての表面側からの光が、他方の表面側に透過するのを遮るものであるので、却って光が遮られるようになり、窓本来の役割を果たすことができなくなるおそれがあった。
【００１２】
この発明はかかる現状に鑑み、セキュリティーやプライバシー保護を図りつつ、効率的に採光し、かつ過度な光の入射を抑制することを可能にする、複合樹脂パネルの提供を目的とするものである。
【課題を解決するための手段】
【００１３】
前記目的を達成するため、この発明にかかる請求項１に記載の発明は、
透明性又は半透明性を有する基材の表面および裏面に、一方向に向けて凸状部と凹状部を交互に繰り返し形成するとともに、前記凹状部の表面を半透明又は不透明層としたもので、
前記各凸状部の頂部は平坦面に形成され、かつ前記平坦面の幅が、前記凹状部の開口幅よりも小さくされ、
前記基材は、前記半透明又は不透明層よりも高い光線透過率を有すること
を特徴とする複合樹脂パネルである。
【００１４】
この発明の請求項２に記載の発明は、
請求項１に記載の複合樹脂パネルにおいて、
前記基材は、
透明性を有する樹脂にフィラー、光拡散剤もしくは着色材料を配合してなるもので構成されていること
を特徴とする複合樹脂パネルである。
【００１５】
この発明の請求項３に記載の発明は、
請求項１又は２に記載の複合樹脂パネルにおいて、
前記表面側の凸状部と前記裏面側の凹状部とは、互いに相対する位置に配置されていること
を特徴とするものである。
【００１６】
この発明の請求項４に記載の発明は、
請求項１又は２に記載の複合樹脂パネルにおいて、
前記半透明又は不透明層は、
着色材料を含有する樹脂で形成されていること
を特徴とするものである。
【００１７】
この発明の請求項５に記載の発明は、
請求項１〜４のいずれかに記載の複合樹脂パネルにおいて、
前記基材は、
その厚さが、少なくとも０．３ｍｍ以上のものであること
を特徴とするものである。
【００１８】
この発明の請求項６に記載の発明は、
請求項１〜５のいずれかに記載の複合樹脂パネルにおいて、
前記凹状部は、
その形状が、断面楔形、断面半円形、断面矩形又は断面台形であること
を特徴とするものである。
【００１９】
この発明の請求項７に記載の発明は、
請求項１〜６のいずれかに記載の複合樹脂パネルにおいて、
前記凹状部の深さは、
少なくとも０．１５ｍｍ以上であること
を特徴とするものである。
【発明の効果】
【００２０】
この発明にかかる複合樹脂パネルは、両面に、凸状部と凹状部が、一方向（例えば縦方向）に向けて交互に繰り返し形成された透明性もしくは半透明性を有する基材、又は透明性を有する樹脂にフィラー、光拡散剤もしくは着色材料を配合してなるもので構成された基材と、前記凹状部の表面に形成された半透明又は不透明層とで構成されるもので、前記凸状部は、その頂部が平坦面に形成された断面台形状であって、その頂部の前記一方向（例えば縦方向）の幅が前記凹状部の開口の前記一方向（縦方向）の幅よりも小さく、前記基材の光線透過率（特にＪＩＳ  Ｋ−７３７５に準じて測定した全光線透過率）は、前記半透明又は不透明層の光線透過率よりも高い。
したがって、この複合樹脂パネルは、表面側から入射する光を遮断するか又はその透過を抑制するとともに、室内を覗き見されたりするのを防ぐことを可能にする。
よって、この発明にかかる複合樹脂パネルによれば、セキュリティーやプライバシー保護を図りつつ、効率的に採光でき、かつ、過度な光の入射を抑制することができる。
特に、前記表面側の凸状部と前記裏面側の凹状部とは、互いに相対する位置に配置されている場合に、この効果は顕著である。
【００２１】
特に、前記複合樹脂パネルにおいては、前記基材として、透明性を有する樹脂にフィラー、光拡散剤もしくは着色材料を配合してなるもので構成された基材を選択した場合に、表面側から入射する光が遮断されるか、又はその透過が抑制される。
かつ、効率的な採光が可能となるという作用効果に加えて、透過光として、柔らかな光や拡散光などを得ることができるという作用効果も得られる。
【００２２】
さらに、前記複合樹脂パネルにおいては、前記凹状部の形状を、断面楔形、断面半円形、断面矩形又は断面台形とすることができる。
特に、前記凹状部の形状を、断面楔形にした場合には、シャープな視界を得ることができ、断面半円形にした場合には、ぼやけた視界を得ることが可能となる。
【図面の簡単な説明】
【００２３】
【図１】この発明にかかる複合樹脂パネルの一例を示す斜視図である。
【図２】図１の複合樹脂パネルを構成する基材を示す斜視図である。
【図３】図１の複合樹脂パネルの要部を示す縦断面図である。
【図４】この発明にかかる複合樹脂パネルの他の例を示す縦断面図である。
【図５】この発明にかかる複合樹脂パネルの他の例を示す縦断面図である。
【図６】この発明にかかる複合樹脂パネルを製造するための装置の一例を示す概略説明図である。
【発明を実施するための形態】
【００２４】
以下、この発明にかかる複合樹脂パネルの一例を、添付の図面に基づいて具体的に説明する。
なお、この発明は、以下の実施例にのみ限定されるものではなく、この発明の要旨を変更しない範囲内で種々変更を加えることができるものである。
【００２５】
この発明において、
「透明性」とは、ＪＩＳ  Ｋ−７３７５に準じて測定した全光線透過率が０．１％以上、好ましくは０．５％以上、より好ましくは１．０％以上を言う。
また、「半透明性」ないし「半透明」とは、ＪＩＳ  Ｋ−７３７５に準じて測定した全光線透過率が０．０５％以上０．１％未満を言う。
さらに、「不透明」とは、ＪＩＳ  Ｋ−７３７５に準じて測定した全光線透過率が０．０５％未満をいう。
【００２６】
この発明にかかる複合樹脂パネル１は、図１に示すように、所要の大きさの断面波状を有する基材２を主体とするものである。
この基材２については、透明性又は半透明性を有する基材で構成することができる。
【００２７】
前記基材２については、透明性を有する樹脂にフィラー、光拡散剤もしくは着色材料を配合して得られる樹脂を用いて形成してもよい。
前記基材２を、このような樹脂で構成した場合には、すりガラス状に光を散乱させることが可能となる。
【００２８】
この発明においては、前記基材２は、その光線透過率（特にＪＩＳ  Ｋ−７３７５に準じて測定した全光線透過率）が、後述する半透明又は不透明層の光線透過率よりも高くなるようにする。
かかる構成によって、前記基材及びその表面上の凹状部に形成される層がいずれも半透明になる場合であっても、視界制御機能と採光のバランスに優れた複合樹脂パネルを得ることができる。
【００２９】
この実施例において、前記基材２は、パネル（プレート）状の形態のものであるが、シート状、フィルム状、ブロック状などの形態のものであってもよい。
【００３０】
前記基材２の大きさについては、前記複合樹脂パネル１の用途などに応じて適宜選択すればよい。
例えば、その用途として、外壁を選択する場合には、縦１００〜２００ｍｍ程度、横９００〜１２００ｍｍ程度、厚さ０．５〜３．０ｍｍ程度である。
【００３１】
前記基材２を主として構成する材料、すなわち透明性を有する材料としては、透明性を有する樹脂、ガラスなどを主成分とする材料が挙げられる。
前記透明性を有する樹脂としては、例えば、
アクリル樹脂（ＰＭＭＡなどのメタクリル酸メチル系樹脂など）、ポリカーボネート樹脂（ＰＣ）、ＡＳＡ樹脂（ＡＳＡ）、ＡＥＳ樹脂（ＡＥＳ）、ＭＡＳ樹脂（ＭＡＳ）、ポリエチレン樹脂（ＰＥ）、ＥＶＡ樹脂（ＥＶＡＣ）、ポリプロピレン樹脂（ＰＰ）、塩化ビニル樹脂（ＰＶＣ）、ポリスチレン樹脂（ＰＳ）、ＡＳ樹脂（ＳＡＮ）、ＡＢＳ樹脂（ＡＢＳ）、ポリエチレンテレフタレート樹脂（ＰＥＴ）、塩化ビニリデン樹脂（ＰＶＤＣ）、ポリアミド樹脂（ＰＡ）、ポリアセタール樹脂（ＰＯＭ）、ポリブチレンテレフタレート樹脂（ＰＢＴ）など
を挙げることができる。
これらの樹脂は、単独であるいは２つ以上を組み合わせて用いることができる。
【００３２】
前記フィラーとしては、例えば、シリカ、タルクなどの無機又は有機フィラーを挙げることができる。
なお、適当な視界制御機能と採光のため、前記フィラーの含有量は、選択されるフィラーの種類などに応じて適宜設定すればよいが、透明性を有する樹脂に対して、好ましくは０．１〜５０質量％である。
【００３３】
前記光拡散剤としては、例えば、アクリル系樹脂やシリコーン樹脂などを挙げることができる。
前記光拡散剤は、平均粒子径０．０１〜５０μｍの微粒子であってもよい。
前記光拡散剤の形状は、好ましくは球状である。
なお、適当な視界制御機能と採光のため、前記光拡散剤の含有量は、選択される光拡散剤の種類などに応じて適宜設定すればよいが、透明性を有する樹脂に対して、好ましくは０．１〜１０質量％である。
【００３４】
前記着色材料としては、有機顔料又は無機顔料、もしくは染料のいずれも選択することができる。
例えば、モノアゾ系染料、ジアゾ系染料、ビスアゾ系染料、トリスアゾ系染料及びスチルベン系染料などのアゾ系染料、アントラキノン系染料、ペリレン系染料、ペリノン系染料、メチン系染料、フタロシアニン系染料、キナクリドン系染料、ジオキサジン系染料、チオインジゴ系染料、イソインドリノン系染料、キノフタロン系染料、染料レーキ、ニトロ顔料、ニトロソ顔料、アニリンブラック、蛍光顔料、酸化チタン、カーボンブラック、群青、紺青、弁柄、カドミウムレッド、モリブデンオレンジ、黄色酸化鉄、黄鉛、チタンイエロー、クロムグリーン、酸化クロム、コバルトブルー、マンガンバイオレット
などが挙げられる。
これらは、単独であるいは２つ以上を組み合わせて用いることができる。
【００３５】
半透明性を有する基材を製造する方法については、特に制限はない。
例えば、透明性を有する樹脂に対して、半透明を有するようになるのに適した量で、フィラーや着色材料などを含有せしめて、基材を形成してもよく、基材の表面を半透明になるように加工処理してもよい。
【００３６】
前記基材２の厚さは、前記複合樹脂パネル１の用途や所望の採光量、屈折率などに応じて適宜選択されるが、十分な採光を得る観点から、好ましくは０．３ｍｍ以上である。
前記厚さが、０．３ｍｍ未満の場合には、十分な採光が得られなくなる傾向にある。
なお、この実施例においては、前記基材２の厚さは、０．５ｍｍ〜３．０ｍｍとしてある。
【００３７】
前記基材２は、図２に示すように、その両面において、一方向（実施例においては横方向）に延びる凸状部２ａと凹状部２ｂが、縦方向に交互に繰り返し形成されたもので、前記凸状部２ａは、前記凹状部２ｂの形成によって、その頂部を平坦面とした断面台形状になるように構成されている。
【００３８】
前記凹状部２ｂの深さについては、これを適宜変更することによって、前記基材２の凸状部２ａの透明な頂部２ｃの採光量を変化させることができるので、選択した深さに応じて、各種の形態の視界を得ることが可能となる。
後述する半透明又は不透明層の形成を考慮すると、前記深さは、好ましくは０．１５ｍｍ以上であって、より好ましくは０．１５ｍｍ〜前記複合樹脂パネルの厚さの２分の１程度である。
かかる構成によって、視界制御機能と採光のバランスに優れたものになる。
なお、前記深さが、０．１５ｍｍ未満の場合には、前記凹状部の形成が困難になる傾向にある。
【００３９】
この発明において、前記凹状部２ｂの形状については、特に制限はなく、例えば、断面楔形、断面半円形、断面矩形又は断面台形などを選択することができる。
このように前記凹状部２ｂの形状を適宜選択することによって、採光量や、屈折率などを変えることができ、各種の形態の視界を得ることが可能となる。
【００４０】
図３において、前記基材２の凹状部２ｂは、断面楔形を有するものである。
かかる構成とすることによって、シャープな視界を得ることができる。
【００４１】
図４において、前記基材２の凹状部２ｂは、断面半円形を有するものである。
かかる構成とすることによって、ぼやけた視界を得ることが可能となる。
【００４２】
なお、図５に示されるように、前記基材２の凹状部２ｂを、断面矩形に形成してもよい。
かかる構成によって、多くの採光量を得ることが可能となる。
【００４３】
この発明において、前記凹状部２ｂの表面には、半透明又は不透明層３，４が形成されている。
前記半透明又は不透明層３，４は、前記基材２よりも低い光線透過率、具体的にはＪＩＳ  Ｋ−７３７５に準じて測定した全光線透過率を有する。
【００４４】
前記凹状部の表面に半透明又は不透明層を形成する方法については、特に制限はない。
例えば、半透明又は不透明性を有するようになるのに適した量で、着色材料を含有する樹脂を、凹状部に充填又はその表面に塗布してもよいし、凹状部の表面自体を半透明又は不透明になるように加工処理してもよい。
なお、この実施例においては、前記凹状部２ｂ内に、着色材料を含有する樹脂を充填することによって、所定の半透明又は不透明層が形成されている。
したがって、この発明においては、少なくとも前記凹状部２ｂの表面に所望の透過率の半透明又は不透明層が形成されていればよい。
【００４５】
前記着色材料を含有する樹脂を構成する樹脂としては、例えば、
アクリル樹脂（ＰＭＭＡなどのメタクリル酸メチル系樹脂など）、ポリカーボネート樹脂
（ＰＣ）、ＡＳＡ樹脂（ＡＳＡ）、ＡＥＳ樹脂（ＡＥＳ）、ＭＡＳ樹脂（ＭＡＳ）、ポリエチレン樹脂（ＰＥ）、ＥＶＡ樹脂（ＥＶＡＣ）、ポリプロピレン樹脂（ＰＰ）、塩化ビニル樹脂（ＰＶＣ）、ポリスチレン樹脂（ＰＳ）、ＡＳ樹脂（ＳＡＮ）、ＡＢＳ樹脂（ＡＢＳ）、ポリエチレンテレフタレート樹脂（ＰＥＴ）、塩化ビニリデン樹脂（ＰＶＤＣ）、ポリアミド樹脂（ＰＡ）、ポリアセタール樹脂（ＰＯＭ）、ポリブチレンテレフタレート樹脂（ＰＢＴ）
などを挙げることができる。
これらの樹脂は、単独であるいは２つ以上を組み合わせて用いることができる。
【００４６】
前記着色材料としては、有機顔料又は無機顔料もしくは染料のいずれも選択することができる。
例えば、モノアゾ系染料、ジアゾ系染料、ビスアゾ系染料、トリスアゾ系染料及びスチルベン系染料などのアゾ系染料、アントラキノン系染料、ペリレン系染料、ペリノン系染料、メチン系染料、フタロシアニン系染料、キナクリドン系染料、ジオキサジン系染料、チオインジゴ系染料、イソインドリノン系染料、キノフタロン系染料、染料レーキ、ニトロ顔料、ニトロソ顔料、アニリンブラック、蛍光顔料、酸化チタン、カーボンブラック、群青、紺青、弁柄、カドミウムレッド、モリブデンオレンジ、黄色酸化鉄、黄鉛、チタンイエロー、クロムグリーン、酸化クロム、コバルトブルー、マンガンバイオレット
などが挙げられる。
これらは、単独であるいは２つ以上を組み合わせて用いることができる。
【００４７】
この発明において、透明性もしくは半透明性又はすりガラス状に光を散乱させる性能を有する、前記凸状部２ａの頂部２ｃ以外の部分（凹状部２ｂの表面）には、これよりも低い光線透過率を有する前記半透明又は不透明層３，４が形成されているもので、前記凸状部２ａの頂部２ｃの縦方向の幅は、前記凹状部２ｂの開口２ｄの縦方向の幅よりも小さくなるように構成されている。
さらに、前記表面側の凸状部２ａと前記裏面側の凹状部２ｂは、互いに相対する位置に配置されるよう形成されている。
かかる構成によって、表面側から入射する光（例えば太陽光）が遮断されるか又はその透過が抑制されるとともに、室内を覗き見されたりすることが防止される。
しかも、その作用効果の範囲は、前記凹状部の形状や、前記凸状部の頂部の幅に応じて、水平方向にとどまらず、上下方向に対しても及ぶものである。
【００４８】
なお、前記複合樹脂パネルの用途に応じて適宜選択されるが、前記頂部の幅は、好ましくは０．５〜２．０ｍｍ程度であって、前記凹状部の開口幅は、好ましくは１．０〜１．５ｍｍ程度である。
【００４９】
かかる構成の複合樹脂パネル１は、例えば、外壁として使用される場合には、正面から真っ直ぐに見ると、透明性もしくは半透明性又はすりガラス状に光を散乱させる性能（「透明性等」ともいう）を有する凸状部２ａの頂部２ｃは、相対する凹状部２ｂ表面に形成された、前記基材２よりも低く、かつ視界及び光を遮るのに十分な光線透過率を有する半透明又は不透明層３，４によって隠される。
したがって、遮光効果と視界制御機能とが発揮されて、利用者の視界から外壁としての複合樹脂パネル１の反対側が隠された状態を構成する。
【００５０】
一方、この複合樹脂パネル１を正面やや下方から見上げるか又は上方から見下ろしてみると、正面の、透明性等を有する凸状部２ａの頂部２ｃと、相対する透明性等を有する凸状部２ａの頂部２ｃとの間に形成される隙間を介して光が多く取り入れられると共に、外壁としての複合樹脂パネル１の反対側が見える。
したがって、セキュリティーやプライバシー保護が図られると共に、効率的な採光を行い、かつ、過度な光の入射を抑制することが可能となる。
【００５１】
かかる複合樹脂パネル１は、各種の製造方法によって製造することができる。
例えば、所定の金型に、前記基材２を構成する樹脂として、光や熱、紫外線によって硬化する樹脂を充填し、光や熱、紫外線により硬化させた後、形成された凹状部２ｂに、前記半透明又は不透明層３，４を構成する樹脂を充填ないし塗布する方法や、前記基材２を構成する樹脂と前記半透明又は不透明層３，４を構成する樹脂を、同時に押出成形する方法によって製造することができる。
【００５２】
図６は、この発明にかかる複合樹脂パネルを製造する装置の一例を示すものである。
図６に示すように、この装置５によれば、第１押出機６から押し出される基材２を構成する樹脂と、第２押出機７から押し出される半透明又は不透明層３を構成する樹脂と、第３押出機８から押し出される半透明又は不透明層４を構成する樹脂とを、金型９内で合流させた後、この金型９から押し出される混合物を、サイジングダイ１０に通して、引取機１１などで引き取って、複合樹脂パネル１が得られる。
なお、このような方法によれば、特に、長尺の複合樹脂パネルを容易に製造することができる。
【００５３】
かかる複合樹脂パネルは、例えば、外壁（フェンス）や、窓材、ブラインドなどの建築用品などの用途に適用することができる。
【００５４】
なお、この実施例においては、複合樹脂パネルを構成する基材を、横方向に延びる凸状部と凹状部が縦方向に交互に繰り返し形成されたものとする例を示したが、この構成の複合樹脂パネルを９０°回転させた状態、すなわち、前記基材を、縦方向に延びる凸状部と凹状部が、交互に繰り返し形成されたものとした構成で使用することも可能である。
【産業上の利用可能性】
【００５５】
この発明にかかる複合樹脂パネルは、優れた遮光機能および視界制御機能を有するもので、セキュリティーやプライバシー保護を図りつつ、効率的に採光し、かつ、過度な光の入射を抑制することを可能にするものである。
したがって、建築業界において幅広く利用されるものである。
【符号の説明】
【００５６】
１            複合樹脂パネル
２            基材
２ａ          凸状部
２ｂ          凹状部
２ｃ          頂部
２ｄ          開口
３            半透明又は不透明層（第一の半透明又は不透明層）
４            半透明又は不透明層（第二の半透明又は不透明層）
５            製造装置
６            第１押出機
７            第２押出機
８            第３押出機
９            金型
１０            サイジングダイ
１１            引取機
ｄ            基材の厚さ
Ｘ，Ｙ，Ｚ    押出し方向
【図１】
2018063349.tif 000003
【図２】
2018063349.tif 000004
【図３】
2018063349.tif 000005
【図４】
2018063349.tif 000006
【図５】
2018063349.tif 000007
【図６】
2018063349.tif 000008